(57)【特許請求の範囲】
【請求項１】
本体ケースと、
上記本体ケースに設けられ、洗浄液を噴射する洗浄液噴射手段と、
上記本体ケースに設けられ、上記洗浄液噴射手段を駆動する駆動手段と、
上記本体ケースにその操作部を露出させた状態で上記本体ケースの内側に向けて回動可能に取り付けられ、出力保持用係合部が設けられ、出力調整レバ用弾性部材によって一方向に常時付勢され、上記駆動手段による出力を調整する出力調整レバと、
その操作部を上記本体ケースに対して上記出力調整レバの操作部と同じ側に隣接・配置させた状態で上記本体ケースに回動可能に設けられ、上記出力保持用係合部と選択的に係合することにより出力を保持するロック用係合部が設けられていて、ロックレバ用弾性部材によって一方向に常時付勢されたロックレバと、
を具備し、
上記出力調整レバが出力調整レバ用弾性部材の付勢力に抗して他方向に回動されると、上記ロックレバが上記出力調整レバによってロックレバ用弾性部材の付勢力に抗して他方向に回動され、上記ロック用係合部が上記出力保持用係合部に係合することにより、上記出力調整レバの回動された状態ひいては所定の出力状態が維持され、
上記所定の出力状態が維持されている場合に、上記ロックレバをロックレバ用弾性部材の付勢力に抗して他の方向に回動させると、上記ロック用係合部の上記出力保持用係合部に対する係合が解除され、上記出力調整レバが出力調整レバ用弾性部材の付勢力によって一方向に回動されて、復帰することを特徴とするパルス洗浄器。
【請求項２】
請求項１記載のパルス洗浄器において、
上記出力調整レバの操作部の先端側に回動用の支点が設けられているとともに上記操作部の後端側から上記本体ケース内部側に向けてアームが突設されていて、該アームの上記支点側の面に上記出力保持用係合部が設けられており、
上記ロックレバのロック用係合部は上記出力調整レバの上記支点側から上記出力保持用係合部に係合されることを特徴とするパルス洗浄器。
【請求項３】
請求項１又は請求項２記載のパルス洗浄器において、
上記出力保持用係合部は複数設けられていて、出力を多段に調整可能に構成されていることを特徴とするパルス洗浄器。
【請求項４】
請求項１〜請求項３の何れかに記載のパルス洗浄器において、
上記ロック用係合部は山型凸部であり、
上記出力保持用係合部は逆山型凹部であることを特徴とするパルス洗浄器。
【請求項５】
請求項１〜請求項４の何れかに記載のパルス洗浄器において、
上記出力調整レバには、一方向への回動を一定量に規制するストッパと、他方向への回動を一定量に規制するストッパが設けられていることを特徴とするパルス洗浄器。
【請求項６】
請求項１〜請求項５の何れかに記載のパルス洗浄器において、
上記出力調整レバ用弾性部材及び上記ロックレバ用弾性部材はコイルばねであることを特徴とするパルス洗浄器。
【請求項７】
請求項１〜請求項６の何れかに記載のパルス洗浄器において、
上記駆動手段は、モータと、上記モータの出力軸に固定されたモータ用歯車と、上記モータ用歯車の回転を伝達する一個又は複数個の伝達用歯車と、上記伝達用歯車を回転可能に支持し上記本体ケースに固定された支持軸と、を具備し、
上記洗浄液噴射手段は、シリンダと、このシリンダ内に往復動可能に内装され上記モータにより駆動されるピストンとからなるピストン・シリンダ機構を備えていて、
上記伝達用歯車と上記ピストン・シリンダ機構のピストンには伝達用歯車の回転運動をピストンの往復運動に変換する回転・往復変換機構が設けられおり、
上記伝達用歯車が上記支持軸を中心として回転することにより、上記回転・往復変換機構を介して上記ピストンを往復動させ、それによって、洗浄液を噴射するようにしたことを特徴とするパルス洗浄器。
【請求項８】
請求項７記載のパルス洗浄器において、
上記洗浄液噴射手段は、上記ピストン・シリンダ機構より供給される洗浄液が流通する供給路を具備したハウジングと、上記ハウジングに内装され上記ピストンの往動時にはシリンダ内の洗浄液の上記供給路側への流通を許容し上記ピストンの復動時には上記供給路側からの洗浄液の戻りを規制し、上記ピストン往動時に上記ハウジングに圧接される環状凸部を備えた逆止弁とを具備し、
上記ハウジングには、上記ピストンの往動時に、上記逆止弁の環状凸部が嵌合する環状凹部が設けられていることを特徴とするパルス洗浄器。
【発明の詳細な説明】
【技術分野】
【０００１】
本発明は、例えば、骨の接合手術時に使用して洗浄液を患部に断続的に噴射するとともに吸引するパルス洗浄器に係り、特に、使用中における噴射頻度や出力の調整が行い易くて操作性も高く、且つ、構成の簡略化を図ることができるように工夫したものに関する。
【背景技術】
【０００２】
例えば、従来のパルス洗浄器は、図１７〜図２０に示すようなものであった。以下、詳細に説明する。
【０００３】
従来のパルス洗浄器１０１は、例えば、図１７に示すような構成になっている。まず、ケース１０３があり、このケース１０３内には、モータ１０５が設置されている。上記モータ１０５の出力軸１０５ａには、歯車１０７が取り付けられている。また、上記ケース内には、歯車１０９が内装されていて、この歯車１０９は上記歯車１０７に歯合されている。上記歯車１０９には歯車１１０が同軸上に取り付けられている。上記ケース内には別の歯車１１１が内装されており、この歯車１１１が上記歯車１１０に歯合されている。上記歯車１１１の偏心した位置には凸部１１１ａが固着されている。
【０００４】
一方、上記ケース１０３内には往復動体１１３が設けられている。上記往復動体１１３の一端側（図１７中右端）には長穴１１３ａが設けられており、他端側（図１７中左端）には蛇腹１１３ｂが設けられている。上記往復動体１１３の長穴１１３ａには、上記歯車１１１の凸部１１１ａが内接されている。そして、上記モータ１０５を起動すると、上記歯車１０７、１０９、１１０を介して上記歯車１１１が回転し、この歯車１１１の回転により上記凸部１１１ａが回転偏移する。それによって、上記長孔１１３ａを介して上記往復動体１１３が図１７中左右方向に往復動することになる。また、この往復動体１１３の往復動により、上記蛇腹１１３ｂが伸縮するようになっている。
【０００５】
上記往復動体１１３にはハウジング１１５が接続されており、このハウジング１１５内には図示しない逆止弁が内装されている。上記ハウジング１１５には、ハウジング１１５内に生理食塩水等を供給する給水管１１７と上記往復動体１１３によって供給された生理食塩水等を噴射するノズル１１９が接続されている。上記逆止弁は、上記蛇腹１１３ｂが伸びて上記給水管１１７から生理食塩水等を吸い込む場合には、上記ノズル１１９側への供給口を閉鎖し、上記給水管１１７側の導入口を開放する。また、上記蛇腹１１３ｂが縮んで上記ノズル１１９側へ生理食塩水等を噴出する場合には、上記給水管側の導入口を閉鎖し、上記ノズル１１９側への供給口を開放するものである。
【０００６】
図１７及び図１８に示すように、上記ケース１０３内には、可変抵抗１２１が設置されている。また、上記ケース１０３には、レバ１２３が支点１２３ａを中心に回動可能に取り付けられている。上記レバ１２３には係合部１２３ｂが設けられている。また、上記レバ１２３と上記ケース１０３との間には、コイルばね１２３ｃが介挿されている。また、上記ケース１０３にはストッパ１２５が設置されている。上記ストッパ１２５には板ばね部１２５ａが形成されている。
【０００７】
上記モータ１０５の一方の端子と上記レバ１２３の反支点１２３ａ側の端部には、コイルばね１２７が接続されている。また、上記可変抵抗１２１の近傍には接点１２９が設置されている。また、上記可変抵抗１２１の上記接点１２９側方向には、上記可変抵抗１２１から離れるほど径が大きくなるようにした円錐面状の斜面１３０が設けられている。上記モータ１０５の他方の端子１２８にはリード線１３１が接続されている。また、上記接点１２９にはリード線１３３が接続されている。また、上記可変抵抗１２１にはリード線１３５が接続されている。上記モータ１０５、上記可変抵抗１２１、上記コイルばね１２７、上記接点１２９、上記リード線１３１、１３３、１３５は、図示しない電池と共に電気的に接続され、電気回路を構成している。
【０００８】
次に、上記パルス洗浄器１０１において、上記モータ１０５の出力を調整し、上記ノズル１１９からの生理食塩水等の噴射を制御する仕組みについて説明する。
上記ノズル１１９からの生理食塩水等の噴射を制御するための操作は、上記パルス洗浄器１０１を手で握って、上記コイルばね１２３ｃの弾性力に抗して、上記支点１２３ａを支点として上記レバ１２３を回動させることによって行われる。
【０００９】
図１７に示した状態は、上記レバ１２３の回動操作を行っていない状態である。
次に、上記レバ１２３を図１７中反時計回りに回動させ、上記ケース１０３側に若干押し込むと、図１８（ａ）に示すような状態となる。このとき、上記コイルばね１２７が上記可変抵抗１２１と接触して、上記モータ１０５が所定の低電圧（例えば、６Ｖ）で動作する。このモータ１０５の動作により、上記往復動体１１３を介して上記蛇腹１１３ｂが伸縮を繰り返す。この蛇腹１１３ｂの伸縮により、上記給水管１１７から供給された生理食塩水等が上記ノズル１１９から噴射される。この状態が、上記パルス洗浄器１０１の低速動作状態である。
【００１０】
また、上記レバ１２３を回動させると、上記可変抵抗１２１と上記コイルばね１２７の接触している位置が変化し、その位置が反接点１２９側であるほど抵抗値は大きく、上記接点１２９に近いほど小さくなる。そのため、上記モータ１０５に流れる電流が変化し、上記モータ１０５の出力を細かく調整することができる。そして、上記レバ１２３を上記ケース１０３側に押し込むと、上記モータ１０５の出力を大きくすることができ、上記レバ１２３が上記コイルばね１２３ｃによって押し戻されることにより、上記モータ１０５の出力が小さくすることができる。
【００１１】
上記レバ１２３を上記ケース１０３側へと更に押し込んで回動させると、上記コイルばね１２７は上記斜面１３０に乗り上げ、上記可変抵抗１２１と接触しない状態となる。それと同時に、上記コイルばね１２７は、上記接点１２９と接触した状態となる。このとき、上記モータ１０５は所定の高電圧（例えば、１２Ｖ）で動作する。この状態が、上記パルス洗浄器１０１の高速動作状態である。
【００１２】
また、この状態で上記ストッパ１２５を上記ケース１０３側に押し込むと、図１８（ｂ）に示すように、上記ストッパ１２５が上記レバ１２５の係合部１２３ｂと係合し、上記ばね１２３ｃによって上記レバ１２３が図１７中時計回り方向に回動して戻されるのを防止して、高速動作状態を維持することができる。
この高速動作状態の維持を解除するためには、上記レバ１２３を更に上記ケース１０３側へと押し込む操作を行う。すると、上記ストッパ１２５と上記レバ１２３の係合部１２３ｂとの係合は解除され、上記板ばね部１２５ａの弾性力により上記ストッパ１２５が元の状態に戻される。
【００１３】
また、従来のパルス洗浄器としては、図１９に示すようなものも存在する。このパルス洗浄器１４１は、前述のパルス洗浄器１０１とモータ１０５、歯車１０７、１０９、１１０、１１１、往復動体１１３、ハウジング１１５、給水管１１７、ノズル１１９などの構成要素は共通するが、モータ出力の調整をスイッチ１４３によって行う点でその構成が異なっているものである。以下、上記パルス洗浄器１４１についての説明を行う。
なお、前記のパルス洗浄器１０１と共通する構成要素については同一の符号を付して示し説明を省略する。
【００１４】
上記スイッチ１４３には操作部１４５があり、この操作部１４５は支点１４５ａを中心に回動可能な状態でケース１０３に取り付けられている。上記操作部１４５には、上記支点１４５ａの両側に可動接点板１４７、１４９が設置されている。また、上記可動接点板１４７、１４９の間には、固定接点板１５１がケース１０３に固定されている。
これら、上記操作部１４５、上記可動接点板１４７、１４９、上記固定接点板１５１が、上記スイッチ１４３を構成しているものである。
【００１５】
また、上記モータ１０５の一方の端子にはリード線１５３が接続されている。また、上記モータ１０５の他方の端子にはリード線１５５が接続されている。また、上記可動接点板１４７にはリード線１５７が接続されている。また、上記可動接点板１４９にはリード線１５９が接続されている。また、上記固定接点板１５１にはリード線１６１が接続されている。これらのリード線１５３、１５５、１５７、１５９、１６１は、図示しない電池と接続され、電気回路を構成している。
【００１６】
次に、上記パルス洗浄器１４１において、上記モータ１０５の出力を調整し、上記ノズル１１９からの生理食塩水等の噴射を制御する仕組みについて説明する。
まず、図２０（ａ）に示すように、上記可動接点板１４７、１４９の何れも、固定接点板１５１に接触していない状態では、上記モータ１０５には電流が流れておらず、停止した状態となっている。
【００１７】
次に、上記操作部１４５を図２０（ａ）中時計回り方向に回動させ、上記可動接点板１４７を上記固定接点板１５１に接触させると、図２０（ｂ）に示すような状態となり、上記モータ１０５は所定の低電圧（例えば、６Ｖ）で動作することとなる。この状態が、上記パルス洗浄器１４１の低速動作状態である。
【００１８】
次に、上記操作部１４５を図２０（ａ）中反時計回り方向に回動させ、上記可動接点板１４９を上記固定接点板１５１に接触させると、図２０（ｃ）に示すような状態となり、上記モータ１０５は所定の高電圧（例えば、１２Ｖ）で動作することとなる。この状態が、上記パルス洗浄器１４１の高速動作状態である。
【００１９】
上記パルス洗浄器１４１は、上記スイッチ１４３によって、停止状態と、低速動作状態と、高速動作状態とを切り替えて、上記ノズル１１９からの生理食塩水等の噴射を制御するものである。
【００２０】
また、この種の外科手術に用いる洗浄器を開示するものとして、例えば、特許文献１が存在する。
【先行技術文献】
【特許文献】
【００２１】
【特許文献１】特表２００４−５０９６７４号公報
【発明の概要】
【発明が解決しようとする課題】
【００２２】
上記従来の構成によると、次のような問題があった。
まず、従来の構成では、パルス洗浄器の動作の停止やノズルからの生理食塩水等の噴射の調整が面倒であった。
すなわち、前述のパルス洗浄器１０１において、低速動作状態でモータ１０５の出力を調整して、ある一定の出力で動作させたい場合には、レバ１２３の回転操作量を所定量に調整して、可変抵抗１２１の抵抗値を所定の抵抗値にする必要がある。しかしながら、その状態を維持しようとすると、上記レバ１２３の所定量の回転操作状態を手で保持しなければならず、極めて面倒であった。
また、前述のパルス洗浄器１０１において、高速動作状態を維持するには、レバ１２３がコイルばね１２３ｃによって押し戻されないように、手で上記レバ１２３を握り続けるか、ストッパ１２５を押し込んで上記レバ１２３を固定する必要があり、上記低速動作状態の場合と同様に面倒であった。
また、上記ストッパ１２５は上記パルス洗浄器１０１の後側に位置し、上記レバ１２３を操作する手によって操作できるものではなく、上記ストッパ１２５を操作するためには、もう一方の手を使わなければならない。そのため、操作が煩雑となる。その上、上記ストッパ１２５の周辺には、給水管１１７やリード線１３１等が存在し、上記ストッパ１２５をもう一方の手で操作する際の邪魔となっている。
【００２３】
また、前述のパルス洗浄器１４１の場合には、スイッチ１４３によって、モータ１０５の停止、低速動作状態、高速動作状態の３つの状態を切り替えている。上記パルス洗浄器１４１では、上記スイッチ１４３の操作部１４５が中央にあるときは停止状態で、上記操作部１４５を中央から図２０中時計回り方向に回動させると低速動作状態となり、上記操作部１４５を中央から図１９中反時計回り方向に回動させると高速動作状態となる。そのため、上記操作部１４５を一定方向に回動していっても、停止状態、低速動作状態及び高速動作状態が、速い順若しくは遅い順に変化していくわけではないので、直感的な操作が困難であり、操作性に劣るものである。
【００２４】
本願発明はこのような点に基づいてなされたもので、その目的とするところは、操作が容易で、構成も単純なパルス洗浄器を提供することにある。
【課題を解決するための手段】
【００２５】
上記課題を解決するべく請求項１記載のパルス洗浄器は、本体ケースと、上記本体ケースに設けられ、洗浄液を噴射する洗浄液噴射手段と、上記本体ケースに設けられ、上記洗浄液噴射手段を駆動する駆動手段と、上記本体ケースにその操作部を露出させた状態で上記本体ケースの内側に向けて回動可能に取り付けられ、出力保持用係合部が設けられ、出力調整レバ用弾性部材によって一方向に常時付勢され、上記駆動手段による出力を調整する出力調整レバと、その操作部を上記本体ケースに対して上記出力調整レバの操作部と同じ側に隣接・配置させた状態で上記本体ケースに回動可能に設けられ、上記出力保持用係合部と選択的に係合することにより出力を保持するロック用係合部が設けられていて、ロックレバ用弾性部材によって一方向に常時付勢されたロックレバと、を具備し、上記出力調整レバが出力調整レバ用弾性部材の付勢力に抗して他方向に回動されると、上記ロックレバが上記出力調整レバによってロックレバ用弾性部材の付勢力に抗して他方向に回動され、上記ロック用係合部が上記出力保持用係合部に係合することにより、上記出力調整レバの回動された状態ひいては所定の出力状態が維持され、上記所定の出力状態が維持されている場合に、上記ロックレバをロックレバ用弾性部材の付勢力に抗して他の方向に回動させると、上記ロック用係合部の上記出力保持用係合部に対する係合が解除され、上記出力調整レバが出力調整レバ用弾性部材の付勢力によって一方向に回動されて、復帰することを特徴とするものである。
又、請求項２記載のパルス洗浄器は、請求項１記載のパルス洗浄器において、上記出力調整レバの操作部の先端側に回動用の支点が設けられているとともに上記操作部の後端側から上記本体ケース内部側に向けてアームが突設されていて、該アームの上記支点側の面に上記出力保持用係合部が設けられており、上記ロックレバのロック用係合部は上記出力調整レバの上記支点側から上記出力保持用係合部に係合されることを特徴とするものである。
又、請求項３記載のパルス洗浄器は、請求項１又は請求項２記載のパルス洗浄器において、上記出力保持用係合部は複数設けられていて、出力を多段に調整可能に構成されていることを特徴とするものである。
又、請求項４記載のパルス洗浄器は、請求項１〜請求項３の何れかに記載のパルス洗浄器において、上記ロック用係合部は山型凸部であり、上記出力保持用係合部は逆山型凹部であることを特徴とするものである。
又、請求項５記載のパルス洗浄器は、請求項１〜請求項４の何れかに記載のパルス洗浄器において、上記出力調整レバには、一方向への回動を一定量に規制するストッパと、他方向への回動を一定量に規制するストッパが設けられていることを特徴とするものである。
又、請求項６記載のパルス洗浄器は、請求項１〜請求項５の何れかに記載のパルス洗浄器において、上記出力調整レバ用弾性部材及び上記ロックレバ用弾性部材はコイルばねであることを特徴とするものである。
又、請求項７記載のパルス洗浄器は、請求項１〜請求項６の何れかに記載のパルス洗浄器において、上記駆動手段は、モータと、上記モータの出力軸に固定されたモータ用歯車と、上記モータ用歯車の回転を伝達する一個又は複数個の伝達用歯車と、上記伝達用歯車を回転可能に支持し上記本体ケースに固定された支持軸と、を具備し、上記洗浄液噴射手段は、シリンダと、このシリンダ内に往復動可能に内装され上記モータにより駆動されるピストンとからなるピストン・シリンダ機構を備えていて、上記伝達用歯車と上記ピストン・シリンダ機構のピストンには伝達用歯車の回転運動をピストンの往復運動に変換する回転・往復変換機構が設けられおり、上記伝達用歯車が上記支持軸を中心として回転することにより、上記回転・往復変換機構を介して上記ピストンを往復動させ、それによって、洗浄液を噴射するようにしたことを特徴とするものである。
又、請求項８記載のパルス洗浄器は、請求項７記載のパルス洗浄器において、上記洗浄液噴射手段は、上記ピストン・シリンダ機構より供給される洗浄液が流通する供給路を具備したハウジングと、上記ハウジングに内装され上記ピストンの往動時にはシリンダ内の洗浄液の上記供給路側への流通を許容し上記ピストンの復動時には上記供給路側からの洗浄液の戻りを規制し、上記ピストン往動時に上記ハウジングに圧接される環状凸部を備えた逆止弁とを具備し、上記ハウジングには、上記ピストンの往動時に、上記逆止弁の環状凸部が嵌合する環状凹部が設けられていることを特徴とするものである。
【発明の効果】
【００２６】
以上述べたように、請求項１記載のパルス洗浄器は、出力調整レバを一方向へ回動操作すると、ロックレバが上記出力調整レバによって弾性部材の付勢力に抗して他方向に回動され、ロック用係合部が出力保持用係合部に係合することにより、上記出力調整レバの回動された状態ひいては所定の出力状態が維持される構成となっている。また、回動操作した出力調整レバを操作する前の状態に戻すには、ロックレバを回動操作し、ロックレバと出力調整レバの係合を解除すれば、出力調整レバは弾性部材によって付勢されて回動操作時とは逆の方向に自動的に回動し、操作する前の状態へと戻る構成となっている。そのため、出力調整レバの回動操作のみで出力調整レバを段階的に一方向へと回動させることができ、また、ロックレバの操作で出力調整レバを回動操作する前の状態へ戻すことができるので、パルス洗浄器の駆動手段の出力調整が容易である。また、出力調整レバを一方向へ回動操作することで出力が段階的に大きくなっていき、且つ、その出力段階を保持できるように構成することも可能である。
また、請求項２に記載されたパルス洗浄器は、出力保持用係合部が複数設けられているため、上記駆動手段の出力を細かく調整することができる。
また、請求項３に記載されたパルス洗浄器は、上記ロック用係合部は山形凸部であり、上記出力保持用係合部は逆山形凹部である。そのため、上記ロック用係合部と上記出力保持用係合部との係合や係合解除、ひいては、上記出力調整用レバ及び上記ロックレバによる上記駆動手段の出力調整を円滑に行うことができる。
また、請求項４に記載されたパルス洗浄器は、上記出力調整レバの操作部と上記ロックレバの操作部が、本体ケースに対して同じ側に隣接・配置されているため、上記駆動手段の出力調整操作を容易に行うことができる。そのため、例えば、片手でパルス洗浄器を保持し、操作することが容易に可能となる。
また、請求項５に記載されたパルス洗浄器は、出力調整レバが必要以上に回動しないようにストッパが設けられている。そのため、確実な操作が可能であり、出力調整レバの押し込み過ぎ等による破損や動作不良を防止することができる。
また、請求項６に記載されたパルス洗浄器は、出力調整レバやロックレバは、コイルばねによって一の方向に付勢されるものであるため、構造を単純化することができる。
また、請求項７に記載されたパルス洗浄器は、伝達用歯車を支持する支持軸が本体ケースに固定されているため、支持軸が不用意に回転して本体ケースを摩耗させてしまうことを防ぐことができる。
また、請求項８に記載されたパルス洗浄器は、ピストン往動時にハウジングに圧接される環状凸部を備えた逆止弁を具備し、ハウジングにはピストンの往動時に逆止弁の環状凸部が嵌合する環状凹部が設けられている。そのため、逆止弁の環状凹部とピストンの環状凸部とが嵌合した際の両者の接触面積が大きく、シール性がより高くなる。
【図面の簡単な説明】
【００２７】
【図１】本願発明の一実施の形態を示す図で、本実施の形態によるパルス洗浄器を含む洗浄システム全体の使用する状態を示す図である。
【図２】本願発明の一実施の形態を示す図で、本実施の形態によるパルス洗浄器を示す斜視図である。
【図３】本願発明の一実施の形態を示す図で、本実施の形態によるパルス洗浄器の内部構造を示す断面図である。
【図４】本願発明の一実施の形態を示す図で、本実施の形態によるパルス洗浄器のケースを構成する２つの部品のうちの一方を示す斜視図である。
【図５】本願発明の一実施の形態を示す図で、本実施の形態によるパルス洗浄器のケースを構成する２つの部品のうちの他方を示す斜視図である。
【図６】本願発明の一実施の形態を示す図で、図６（ａ）は図３におけるａ−ａ断面図、図６（ｂ）は図３におけるｂ−ｂ断面図である。
【図７】本願発明の一実施の形態を示す図で、図７（ａ）はハウジング、逆止弁、シリンダ、ピストン、及び歯車とモータを上方から視て、その一部を断面表示で示した図で供給された生理食塩水をシリンダ内に吸い込んでいる状態を示す図、図７（ｂ）は図７（ａ）のｂ−ｂ断面図、図７（ｃ）は図７（ｂ）におけるｃ部拡大図である。
【図８】本願発明の一実施の形態を示す図で、図８（ａ）はハウジング、逆止弁、シリンダ、ピストン、及び歯車とモータを上方から視て、その一部を断面表示で示した図で供給された生理食塩水をノズル側へ送り出している状態を示す図、図８（ｂ）は図８（ａ）を横から見た状態を示す拡大断面図、図８（ｃ）は図８（ｂ）におけるｃ部拡大図である。
【図９】本発明の一実施の形態を示す図で、図９（ａ）は逆止弁の平面図、図９（ｂ）は逆止弁の側面図である。
【図１０】本願発明の一実施の形態を示す図で、本実施の形態によるパルス洗浄器に用いられる出力調整レバを示す斜視図である。
【図１１】本願発明の一実施の形態を示す図で、本実施の形態によるパルス洗浄器に用いられるロックレバを示す斜視図である。
【図１２】本願発明の一実施の形態を示す図で、図１２（ａ）は本実施の形態によるパルス洗浄器を動作させていない状態での出力調整レバ及びロックレバ及びその近傍の拡大断面図、図１２（ｂ）は図１２（ａ）におけるｂ−ｂ断面図、図１２（ｃ）は図１２（ａ）におけるｃ−ｃ断面図である。
【図１３】本願発明の一実施の形態を示す図で、図１３（ａ）は本実施の形態によるパルス洗浄器を低速で動作させた状態の出力調整レバ及びロックレバ及びその近傍の拡大断面図、図１３（ｂ）は図１３（ａ）におけるｂ−ｂ断面図、図１３（ｃ）は図１３（ａ）におけるｃ−ｃ断面図である。
【図１４】本願発明の一実施の形態を示す図で、図１４（ａ）は本実施の形態によるパルス洗浄器を高速で動作させた状態の出力調整レバ及びロックレバ及びその近傍の拡大断面図、図１４（ｂ）は図１４（ａ）におけるｂ−ｂ断面図、図１４（ｃ）は図１４（ａ）におけるｃ−ｃ断面図である。
【図１５】本願発明の一実施の形態を示す図で、図１５（ａ）は本実施の形態によるパルス洗浄器のロックレバを操作した状態での出力調整レバ及びロックレバ及びその近傍の拡大断面図で、図１５（ｂ）は図１５（ａ）におけるｂ−ｂ断面図、図１５（ｃ）は図１５（ａ）におけるｃ−ｃ断面図である。
【図１６】本願発明の一実施の形態を示す図で、本実施の形態によるパルス洗浄器の電気回路を示した図であり、図１６（ａ）は図１２に示した状態での電気回路を示す図であり、図１６（ｂ）は図１３に示した状態での電気回路を示す図であり、図１６（ｃ）は図１４に示した状態での電気回路を示す図である。
【図１７】従来のパルス洗浄器の内部構造を示す断面図であり、パルス洗浄器を動作させていない状態を示すものである。
【図１８】従来のパルス洗浄器の内部構造を示す拡大断面図であり、図１８（ａ）はパルス洗浄器を低速で動作させ、且つ、可変抵抗でモータ出力を調整している状態を示す図、図１８（ｂ）はパルス洗浄器を高速で動作させている状態を示す図である。
【図１９】従来のパルス洗浄器の内部構造を示す断面図である。
【図２０】従来のパルス洗浄器の内部構造を示す拡大断面図であり、図２０（ａ）はパルス洗浄器を動作させていない状態を示す図であり、図２０（ｂ）はパルス洗浄器を低速で動作させている状態を示す図であり、図２０（ｃ）はパルス洗浄器を高速で動作させている状態を示す図である。
【発明を実施するための形態】
【００２８】
以下、図１乃至図１６を参照して、本願発明の一実施の形態を説明する。
【００２９】
本実施の形態によるパルス洗浄器１は、図１に示すように、上記パルス洗浄器１に電力を供給する電池が内蔵された電池ボックス３と、上記パルス洗浄器１に供給される洗浄液としての生理食塩水を保持する生理食塩水パック５と、上記パルス洗浄器１を通じて洗浄後の汚水を吸引する吸引ユニット７と接続されて使用される。
【００３０】
上記パルス洗浄器１は、図２に示すように、まず、本体ケース９があり、この本体ケース９は、図４に示すような右側ケース９ａと、図５に示すような左側ケース９ｂとから構成されている。上記パルス洗浄器１から上記左側ケース９ｂを取り外すと、図３に示すような内部構造を確認できる状態となる。
上記本体ケース９の先端側には、図２に示すように、ノズルユニット１０が着脱可能に接続されている。上記ノズルユニット１０には、噴射ノズル１０ａと吸引ノズル１０ｂが設けられており、この噴射ノズル１０ａ及び吸引ノズル１０ｂの先端にはキャップ１０ｃが取り付けられている。
上記本体ケース９には、上記ノズルユニット１０を着脱するためのロックフリ１２が取り付けられている。
【００３１】
また、上記本体ケース９の後端からは、図２に示すように、吸引パイプ１１、給水管１３、電源ケーブル１５が延長されている。上記吸引パイプ１１には、図３に示すように、既に説明した上記吸引ノズル１０ｂが着脱可能に挿入されている。また、上記吸引パイプ１１は、図１に示すように、上記吸引ユニット７に接続されている。上記給水管１３は、図１に示すように、上記生理食塩水パック５に接続されている。上記生理食塩水パック５内の生理食塩水は、この給水管１３を介して上記パルス洗浄器１に供給される。上記電源ケーブル１５は、図１に示すように、上記電池ボックス３内の電池に接続されており上記パルス洗浄器１に電力を供給するものである。
また、上記本体ケース９には、出力調整レバ１７とロックレバ１９が、回動可能に取り付けられている。
【００３２】
次に、上記パルス洗浄器１の駆動手段について説明する。
図３に示すように、上記パルス洗浄器１の本体ケース９内には、動力としてモータ２１が固定されている。上記モータ２１の一方の端子２１ａにはリード線２２ａが接続されており、又、他方の端子２１ｂにはリード線２２ｂが接続されている。上記モータ２１の出力軸２１ｃには、歯車２３が取り付けられている。また、上記本体ケース９内には上記歯車２３と噛み合わされる歯車２５が設置されている。上記歯車２５は、大径歯車２５ａと小径歯車２５ｂとからなっており、上記歯車２３は大径歯車２５ａと噛み合っている。さらに、上記本体ケース９内には、上記歯車２５と噛み合う歯車２７が設置されている。上記歯車２７は上記歯車２５の小径歯車２５ｂと噛み合っている。また、上記歯車２７の反歯車２５側の面には円柱状の凸部２７ａが偏心・配置されている。
【００３３】
上記歯車２５は支持軸２９に回転可能に取り付けられている。また、上記歯車２７は支持軸３１に回転可能に取り付けられている。また、上記支持軸２９は軸受３３を介して上記本体ケース９に固定されおり、上記支持軸３１は軸受３５を介して上記本体ケース９に固定されている。すなわち、上記軸受３３、３５には穴３３ａ、３５ａが形成されており、上記支持軸２９は、その上端（図３中上側端）を上記穴３３ａに圧入・固定され、上記支持軸３１は、その上端（図３中上側端）を穴３５ａに圧入・固定されている。
【００３４】
また、図６及び図７に示すように、上記軸受３３の両側には固定用凸部３３ｂ、３３ｂが突出・形成されていて、上記軸受３５の両側には固定用凸部３５ｂ、３５ｂが突出・形成されている。図６の（ａ）及び（ｂ）に示すように、上記軸受３３は上記固定用凸部３３ｂ、３３ｂを上記本体ケース９に設けられた溝３４、３４に圧入された状態で固定されている。同様に、上記軸受３５は上記固定用凸部３５ｂ、３５ｂを上記本体ケース９に設けられた溝３６、３６に圧入された状態で固定されている。
【００３５】
このような構造により、上記支持軸２９、３１は上記本体ケース９に固定されているため回転せず、上記歯車２５、２７が上記支持軸２９、３１を中心に回転することとなる。この構造は、上記支持軸２９、３１が不用意に回転してしまうことにより、上記軸受３３、３５や上記本体ケース９が摩耗してしまうことを防ぐためのものである。
【００３６】
次に、洗浄液噴射手段の構成を説明する。
図３、図７、図８に示すように、上記本体ケース９内には、略円筒形のシリンダ３７が設けられている。このシリンダ３７内にはピストン３９が、図３中左右方向に移動可能な状態で内装されている。上記ピストン３９は、上記シリンダ３７の内壁に摺接するピストン本体３９ａと、このピストン本体３９ａの図３中右側に連設された接続部３９ｃとから構成されている。上記接続部３９ｃには長方形の両端を半円形状とした形状をなす貫通孔３９ｂが設けられている。
【００３７】
上記ピストン本体３９ａの外周には２つの環状溝３９ｄ、３９ｄが設けられており、その環状溝３９ｄ、３９ｄにはＯリング４１、４１が圧入されている。また、既に説明した歯車２７の凸部２７ａは、上記ピストン３９の貫通孔３９ｂ内に移動可能に挿入・係合されている。上記凸部２７ａは上記歯車２７の回転中心から偏心した位置にあり、上記貫通孔３９ｂは幅（図７（ａ）中横方向長さ）が上記凸部２７ａの径と等しいため、上記歯車２７の回転によってピストン本体３９ａが上記シリンダ３７内を前後方向（図３中左右方向）に往復動することになる。
【００３８】
上記シリンダ３７の前方（図３中左側）には、ハウジング４３が接続されている。まず、上記ハウジング４３には略円筒形状のハウジング本体４３ａがある。そして、上記ハウジング本体４３ａの後端側（図３中右側）の外周側には、上記ハウジング本体４３ａよりも径が大きい略円筒形を成すハウジング外筒４３ｂが形成されている。上記ハウジング外筒４３ｂの後端（図３中右側）には、上記ハウジング外筒４３ｂよりも径が大きい略円筒形を成すシリンダ接続部４３ｃが形成されている。上記ハウジング外筒４３ｂとハウジング本体４３ａとの間には、空間が形成されており、これが給水路４３ｄとなっている。
【００３９】
上記ハウジング外筒４３ｂには、上記給水路４３ｄと連通した給水管接続部４３ｅが突出・形成されている。上記給水管接続部４３ｅには、前記給水管１３が接続されている。
また、上記ハウジング外筒４３ｂの上記シリンダ接続部４３ｃ側（図３中右側）の端面には、図７（ｃ）にも示すように、環状溝４３ｆが形成されている。上記環状溝４３ｆの断面形状であるが、図３、図７（ｃ）及び図８（ｃ）に示すように、開口部付近は底部側（図７（ｃ）中左方向）へ向かうほど幅が狭くなるテーパ形状となっており、また、底部は円弧状になっている。
また、上記ハウジング本体４３ａの先端（図３中左側）には、噴射ノズル接続部４３ｇが形成されている。上記噴射ノズル接続部４３ｇには前記噴射ノズル１０ａが着脱可能に挿入・接続されている。
【００４０】
図３、図７、図８に示すように、上記ハウジング４３内には、ある程度伸縮するエラストマ素材製の逆止弁４５が設置されている。上記逆止弁４５は、図９にも示すように、上記噴射ノズル１０ａ側（図３中左側）に形成された噴射側弁４５ａと、上記ピストン３９側（図３中右側）に形成された給水側弁４５ｂとから構成されている。上記噴射側弁４５ａは、略円筒形で、上（図３中上方向）から見ると、図７（ａ）に示すように、閉弁時には、先端側（図７中左側）が平たく窄まった形状となっており、開弁時には、図８（ａ）に示すように、先端が開口されることになる。
尚、図９は非使用時の状態を示しており、上記噴射側弁４５ａは自身の弾性復帰力によって閉じた状態にあるが、図７（ａ）に示す場合には、ピストン３９の後退動作により吸引されているので、図９に示す非使用時の状態よりもさらに内側に湾曲になるように変形していて、それによって、確実に閉弁するように構成されている。
【００４１】
上記噴射側弁４５ａにはテーパ状の段付部４５ｃが形成されており、この段付部４５ｃは上記ハウジング４３のハウジング本体４３ａの図３中右端の鍔部４３ｈと係合している。
【００４２】
上記給水側弁４５ｂは、中心に上記噴射側弁４５ａの内側と連通した貫通孔を有する傘状の形状をなしている。上記給水側弁４５ｂの外周縁部には、先端側（図７中左側）に向けて、環状凸部４５ｄが突出・形成されている。上記環状凸部４５ｄの断面形状は、図７（ｃ）に示すように、先端側（図７（ｃ）中左側）に向けて細くなっていくテーパ形状を成しているとともに、その先端部は略半円形となっている。
【００４３】
上記逆止弁４５は、上記噴射側弁４５ａを上記ハウジング本体４３ａ内に挿入されることで、上記ハウジング４３に取り付けられる。その際、上記噴射側弁４５ａの段付部４５ｃの外周面が上記ハウジング本体４３ａの内周面に弾性力により圧接される。また、上記噴射側弁４５ａの上記段付部４５ｃの端面（図８（ａ）中右側の端面）が、上記ハウジング本体４３ａの鍔部４３ｈの内周面に弾性力により圧接する。これにより、上記逆止弁４５は上記ハウジング４３に固定されることになる。
【００４４】
また、図７に示すように、前記ピストン３９が後退（図７（ａ）中右側への移動）する際、上記逆止弁４５の一部、すなわち、上記段付部４５ｃよりも図７（ａ）中右側の部分が図７（ａ）中右側へ伸長する。それによって、上記逆止弁４５の環状凸部４５ｄの先端の上記ハウジング４３の環状溝４３ｆへの嵌合が解除される。
逆に、前記ピストン３９が前進（図７（ａ）中左側へ移動）する際、上記逆止弁４５の伸長した部分が収縮することになる。すなわち、上記逆止弁４５がその弾性力により収縮して上記給水側弁４５ｂが上記パルス洗浄器１の先端側（図３中左側）に付勢され、図８（ｃ）に示すように、上記逆止弁４５の環状凸部４５ｄの先端（図８（ｃ）中左側端）が上記ハウジング４３の環状溝４３ｆに密着し嵌合するようになっている。その際、上記逆止弁４５の環状凸部４５ｄの先端（図８（ｃ）中左側端）は、上記環状溝４３ｆの形状に合わせて弾性変形している。
【００４５】
また、上記噴射ノズル１０ａは、上記本体ケース９の先端（図３中左側端）に穿孔された貫通孔４４を貫通して、前記ロックフリ１２によって固定されている。上記ロックフリ１２は、上記噴射ノズル１０ａが貫通する貫通孔１２ａが設けられたロックフリ本体１２ｂと、このロックフリ本体１２ｂの上端部（図３中上側端）から後方（図３中右側）へと延長・形成された板ばね部１２ｃとからなる。上記板ばね部１２ｃの後端（図３中右端）は、上記本体ケース９に設けられた溝４２内に挿入・固定されている。上記ロックフリ本体１２ｂの貫通孔１２ａの図３中上側は、図３中左から右へ行くほど縮径するテーパ形状となっている。また、上記噴射ノズル１０ａの後端側（図３中右側）の外周上には、上記ロックフリ１２と係合する係合凸部１０ｄが設けられている。また、上記ロックフリ本体１２ｂの下端側（図３中下側）は指などで押圧操作するための操作部１２ｄとなっている。
【００４６】
以上説明した、ピストン３９、シリンダ３７、ハウジング４３、逆止弁４５、噴射ノズル１０ａによって、洗浄液噴射手段が構成されている。
【００４７】
図３に示すように、上記本体ケース９の右側ケース９ａには、低速側接点４７と、高速側接点４９が固定されている。上記低速側接点４７は、図１２（ｂ）に示すように、円板の上側（図１２（ｂ）中上側）の面が球面状に盛り上がった形状の頭部４７ａと、軸部４７ｂから構成されている。又、上記高速側接点４９も、上記低速側接点４７と同じ形状であり、頭部４９ａと軸部４９ｂとからなる。
【００４８】
上記低速側接点４７は、上記右側ケース９ａに設けられた接点取付部５１（図４に示す）内に圧入されている。上記低速側接点４７の頭部４７ａの下側（図１２（ｂ）中下側）には、ラグ端子５３が設置されている。上記低速側接点４７の軸部４７ｂが上記ラグ端子５３の貫通孔を貫通し上記接点取付部５１の下部（図１２（ｂ）中下側部分）の小径穴５１ａに圧入され、上記低速側接点４７の頭部４７ａが上記接点取付部５１の上部（図１２（ｂ）中上側部分）に圧入されることにより、上記低速側接点４７が固定される。このとき、上記低速側接点４７の頭部４７ａの球面状部分が上記接点取付部５１の上方に突出するようになっている。また、上記ラグ端子５３と上記低速側接点４７は電気的に接続されることになり、上記ラグ端子５３には上記電池ボックス３内の電池に接続されたリード線５３ａが接続される。
【００４９】
上記高速側接点４９も、上記右側ケース９ａに設けられた接点取付部５５（図４に示す）内に圧入されている。上記高速側接点４９の頭部４９ａの下側（図１２（ｂ）中下側）には、ラグ端子５６が設置されている。上記高速側接点４９の軸部４９ｂが上記ラグ端子５６の貫通孔を貫通し上記接点取付部５５の下部（図１２（ｂ）中下側部分）の小径穴５５ａに圧入され、上記高速側接点４９の頭部４９ａが上記接点取付部５５の上部（図１２（ｂ）中上側部分）に圧入されることにより、上記高速側接点４９が固定される。このとき、上記高速側接点４９の頭部４９ａの球面状部分が上記接点取付部５５の上方に突出するようになっている。また、上記ラグ端子５６と上記高速側接点４９は電気的に接続されることになり、上記ラグ端子５６には上記電池ボックス３内の電池に接続されたリード線５６ａが接続される。
【００５０】
前述のように、上記本体ケース９には上記出力調整レバ１７が回動可能に取り付けられている。まず、上記出力調整レバ１７は、図１０に示すように、出力調整レバ操作部５７がある。上記出力調整レバ操作部５７の先端（図１０中左上側）からは、出力調整レバ支点アーム５９が突出・形成されており、この出力調整レバ支点アーム５９の両側面側（図１０中左下方向及び右上方向）には出力調整レバ回転軸５９ａ、５９ａが突出・形成されている。
【００５１】
上記出力調整レバ操作部５７の後端側（図１０中右下側）からは、接点アーム６１が突出・形成されている。上記接点アーム６１は、上記出力調整レバ回転軸５９ａを中心とした略円弧状の形状となっており、その先端部の左側（図１０中左下側）には、出力調整レバ側ばね係合部６１ａが突出・形成されている。また、上記接点アーム６１の先端の上記出力調整レバ支点アーム５９側の面には、出力調整レバ側係合面６１ｂが形成されている。上記出力調整レバ側係合面６１ｂの下側（図１０中下側）には出力保持用係合部としての低速時係合凹部６１ｃが形成されている。また、この低速時係合凹部６１ｃの下側（図１０中下側）には出力保持用係合部としての高速時係合凹部６１ｄが形成されている。上記低速時係合凹部６１ｃ及び上記高速時係合凹部６１ｄは、逆山型に形成された凹部である。
【００５２】
また、上記接点アーム６１には、図１０に示すように、上記本体ケース９内に設置された上記出力調整レバ１７の、図３中時計回り方向への回動量を一定量に規制するストッパとしての段付部６１ｅ及び突起６１ｆが設けられている。また、上記接点アーム６１には、図１０に示すように、上記本体ケース９内に設置された上記出力調整レバ１７の、図３中反時計回り方向への回動量を一定量に規制するストッパとしての段付部６１ｇ、６１ｇが設けられている。
【００５３】
また、上記接点アーム６１の、上記低速時係合凹部６１ｃと上記高速時係合凹部６１ｄとの間には、接点取付用貫通孔６１ｈが穿孔されている。上記接点取付用貫通孔６１ｈには、図１２（ｂ）に示すように、可動接点６３が取り付けられている。上記可動接点６３は、半球状の頭部６３ａと軸部６３ｂとから構成されている。上記可動接点６３は、上記軸部６３ｂを上記接点取付用貫通孔６１ｈ内に挿入されて、図１２（ｂ）中上下に移動可能な状態で、上記接点アーム６１に取り付けられている。
【００５４】
上記可動接点６３の頭部６３ａと上記接点アーム６１の間には、ラグ端子６４が取り付けられている。上記ラグ端子６４は、その貫通孔を上記可動接点６３の軸部６３ｂに挿入されることで、上記可動接点６３に取り付けられている。上記ラグ端子６４には上記リード線２２ａが接続されており、これによって、上記可動接点６３と上記モータ２１の一方の端子が電気的に接続されることとなる。
【００５５】
図１２（ｂ）に示すように、上記ラグ端子６４の上側（図１２（ｂ）中上側）には、コイルばね６６が設置されている。上記コイルばね６６は上記可動接点６３の軸部６３ｂに挿入されており、上記ラグ端子６４を上記可動接点６３の頭部６３ａ側に付勢して当接させているとともに、上記可動接点６３を図１２（ｂ）中下側に常時付勢している。
【００５６】
なお、上記低速側接点４７及び上記高速側接点４９は、上記出力調整レバ１７の回動に伴う上記可動接点６３の移動軌跡に沿った円弧上に配置されたものである。
【００５７】
上記出力調整レバ１７は、上記本体ケース９の右側ケース９ａ及び左側ケース９ｂに形成された出力調整レバ用軸受部６５、６５に、上記出力調整レバ側回転軸５９ａ、５９ａを挿入されて、上記本体ケース９に回動可能に取り付けられる。また、図３に示すように、上記出力調整レバ１７の出力調整レバ側ばね係合部６１ａと、上記本体ケース９の右側ケース９ａに突出・形成された本体ケース側出力調整レバ用ばね係合部６７との間に、弾性部材としての出力調整レバ用ばね６９が張設されている。
【００５８】
また、前述のように、上記本体ケース９には上記ロックレバ１９が回動可能に取り付けられている。まず、図１１に示すように、上記ロックレバ１９にはロックレバ操作部７１がある。上記ロックレバ操作部７１の上端側（図１１中上側端）には、ロックレバ側ばね係合部７１ａが突出・形成されている。上記ロックレバ操作部７１の前方（図１０中左上側）にはロックレバ支点アーム７３が突出・形成されている。上記ロックレバ支点アーム７３の先端部には両側面側（図１１中左下側及び右上側）に向けてロックレバ回転軸７３ａ、７３ａが突出・形成されている。上記ロックレバ支点アーム７３の先端から上方（図１１中上方向）に向けて、係合部アーム７５が突出・形成されており、この係合部アーム７５の先端から上記ロックレバ操作部７１側（図１１中右下側）に向けて、ロック用係合部としてのロック用係合凸部７５ａが突出・形成されている。上記ロック用係合凸部７５ａは、上記低速時係合凹部６１ｃ及び上記高速時係合凹部６１ｄに対応した山型の凸部である。
【００５９】
また、上記ロックレバ支点アーム７３の中ほどには、上方（図１１中上方向）に向けて、凸部７７が突出・形成されている。上記凸部７７は上記出力調整レバ１７が回動操作された際、上記ロックレバ１９のロックレバ支点アーム７３が上記出力調整レバ１７の段付部６１ｅと段付部６１ｇとの間の薄肉部に嵌り込まないようにするためのものである。
【００６０】
上記ロックレバ１９は、上記本体ケース９の右側ケース９ａ及び左側ケース９ｂに形成されたロックレバ用軸受部７９、７９に、上記ロックレバ回転軸７３ａ、７３ａを挿入されて、上記本体ケース９に回動可能に取り付けられる。また、上記ロックレバ１９のロックレバ側ばね係合部７１ａと、上記本体ケース９の右側ケース９ａに突出・形成された、本体ケース側ロックレバ用ばね係合部８１との間に、弾性部材としてのロックレバ用ばね８３が張設されている。
【００６１】
上記出力調整レバ１７と上記ロックレバ１９が上記本体ケース９に取り付けられると、上記ロックレバ操作部７１は上記出力調整レバ操作部５７の後ろ側（図３中右側）近傍に位置することになる。また、上記出力調整レバ操作部５７と上記ロックレバ操作部７１は、上記本体ケース９に対して同じ側に出現するように配置されている。
【００６２】
前述の構成において、上記電池ボックス３内の電池、上記モータ２１、上記リード線２２ａ、２２ｂ、上記低速側接点４７、上記高速側接点４９、上記ラグ端子５３、５６、上記リード線５３ａ、５６ａ、上記可動接点６３、ラグ端子６４によって構成されている電気回路は、図１６に示すようなものとなる。この電気回路は、上記電池ボックス３内に収納された第１電池８５と第２電池８７を電源としている。上記第１電池８５は、本実施の形態の場合は、４本の単３型乾電池を直列に接続したもので、電圧は６Ｖである。上記第２電池８７も、同じ構成のものである。図１６に示すように、上記第１電池８５の（＋）極と上記第２電池８７の（−）極は、上記リード線５３ａと上記ラグ端子５３を介して、上記低速側接点４７に接続されている。また、上記第１電池８５の（−）極は、上記リード線５６ａと上記ラグ端子５６を介して、上記高速側接点４９に接続されている。また、上記第２電池８７の（＋）極は、上記リード線２２ｂを介して、上記モータ２１の他方の端子２１ｂと接続されている。また、前述したように、上記モータ２１の一方の端子２１ａは、上記ラグ端子６４及び上記リード線２２ａを介して、上記可動接点６３と接続されている。
【００６３】
次に、前述した構成のパルス洗浄器の動作について説明する。
まず、モータ２１の駆動力によって、生理食塩水を噴射ノズル１０ａから噴射する仕組みを、図７及び図８を用いて説明する。
【００６４】
まず、ピストン３９が往復動する仕組みについて説明する。
上記モータ２１の出力軸の回転は、歯車２３、２５、２７へと順番に伝達される。上記歯車２７が回転すると、上記歯車２７の凸部２７ａは、その回転中心から偏心した位置にあるため、横方向から見ると前後（図７（ｂ）中左右方向）に往復動するように移動することになる。
上記歯車２７の凸部２７ａは、上記ピストン３９の貫通孔３９ｂ内に係合している。上記ピストン３９の貫通孔３９ｂは長方形の両端を半円形状とした貫通孔であり、その幅（図７（ａ）中横方向長さ）が上記歯車２７の凸部２７ａの径と等しく、その長さ（図７（ａ）中縦方向長さ）は上記歯車２７の凸部２７ａが回転運動によって移動する図７（ａ）中縦方向の範囲に等しくなっている。そのため、上記歯車２７の回転運動による上記凸部２７ａの移動により、上記ピストン３９の貫通孔３９ｂの内周面が付勢され、上記ピストン３９はシリンダ３７内を前後（図７中左右方向）に往復動することとなる。
【００６５】
次に上記ピストン３９により、上記シリンダ３７内に生理食塩水が吸入される場合について説明する。
上記ピストン３９が、上記シリンダ３７内を前方（図７中左方向）から後方（図７中右方向）に移動するときに、給水管１３から上記シリンダ３７内に生理食塩水を吸入する。このときの状態を示したのが、図７である。
このとき、逆止弁４５は、上記ピストン３９の移動により後方（図７中右方向）に引っ張られる。そのため、上記逆止弁４５は、その段付部４５ｃから給水側弁４５ｂ側が伸長し、上記給水側弁４５ｂとハウジング４３との間に隙間ができる。これにより、上記給水管１３、上記ハウジング４３の給水管接続部４３ｅ、上記ハウジング４３の給水路４３ｄ及び上記シリンダ３７内が連通する。そして、生理食塩水パック５内に保持した生理食塩水が、上記ピストン３９の移動により上記シリンダ３７内に吸入されることとなる。
また、このとき、上記逆止弁４５の噴射側弁４５ａは、上記ピストン３９の移動による吸引力と自身の弾性復帰力とにより、図７（ａ）に示すように、先端（図７（ａ）中左側端）が閉じることとなる。
【００６６】
次に上記ピストン３９により、上記シリンダ内に吸入された生理食塩水が、噴射ノズル１０ａから噴射される場合について、説明する。
上記ピストン３９が、上記シリンダ３７内を後方（図８中右方向）から前方（図８中左方向）に移動するときに、上記シリンダ３７内に吸入された生理食塩水を上記噴射ノズル１０ａから噴射することとなる。このときの状態を示したのが、図８である。
このとき、上記逆止弁４５は、上記給水側弁４５ｂ側が上記ピストン３９の移動により発生した水圧によって前方（図８中左方向）に付勢され、上記給水側弁４５ｂの環状凸部４５ｄが、上記ハウジング４３の環状溝４３ｆ内に入り込む。そのため、上記給水側弁４５ｂによって、上記ハウジング４３の給水路４３ｄと上記シリンダ３７内が完全に仕切られることになる。
一方、上記逆止弁４５の噴射側弁４５ａは、上記ピストン３９の前方（図８中左方向）への移動により発生した水圧によって、図８（ｂ）に示すように、先端（図８（ａ）中左側端）が付勢されて開く。これにより、上記シリンダ３７内、上記ハウジング４３のハウジング本体４３ａ内及び上記噴射ノズル１０ａが連通し、上記ピストン３９の前方（図８中左方向）への移動により付勢された生理食塩水が噴射ノズル１０ａから、外部へと噴射される。
【００６７】
このような生理食塩水の吸入と噴射の動作を繰り返すことで、パルス洗浄器１は、断続的に生理食塩水を噴射させることになる。
【００６８】
次に、出力調整レバ１７及びロックレバ１９による上記モータ２１の出力制御及びその操作について、図１２乃至図１６を用いて説明する。
【００６９】
まず、上記モータ２１が停止している状態では、上記出力調整レバ１７及び上記ロックレバ１９は、図１２（ａ）及び図１２（ｂ）に示すような状態にある。すなわち、図１２（ａ）に示すように、上記出力調整レバ１７は出力調整レバ用ばね６９の弾性力によって、図１２（ａ）中時計回り方向に回動するよう付勢されるが、上記出力調整レバ１７の段付部６１ｅ及び突起６１ｆが本体ケース９に当接してストッパとして作用し、それ以上上記出力調整レバ１７が図１２（ａ）中時計回り方向に回動しないように規制している。このとき、上記ロックレバ１９もロックレバ用ばね８３の弾性力によって、図１２（ａ）中時計回り方向に回動するように付勢されているが、上記ロックレバ１９のロック用係合凸部７５ａが、上記出力調整レバ１７の出力調整レバ側係合面６１ｂに当接して、それ以上上記ロックレバ１９が図１２（ａ）中時計回り方向に回動しないようになっている。
【００７０】
このとき、可動接点６３は、低速側接点４７、高速側接点４９の何れにも接触しておらず、上記パルス洗浄器１の電気回路は図１６（ａ）に示す状態となっている。すなわち、上記モータ２１には一切電力が供給されていない状態となっているものである。
【００７１】
次に、前述した、上記モータ２１が停止している状態から、上記モータ２１が低速で動作する状態に切り換える場合について説明する。
例えば、片手で上記パルス洗浄器１を保持し、その手で、上記出力調整レバ１７を図１２（ａ）中反時計回り方向に回動させる操作を行い、図１２に示す状態から、図１３に示す状態とする。その際、上記出力調整レバ１７は上記出力調整レバ側係合面において上記ロックレバ１９を付勢し、上記ロックレバ１９は上記ロックレバ用ばね８３の弾性力に抗して図１２（ａ）中反時計回り方向に回動される。そして、上記出力調整レバ側係合面６１ｂとロック用係合凸部７５ａとの当接が解除される。さらに、上記出力調整レバ１７が回動されると、上記ロックレバ１９が上記ロックレバ用ばね８３の弾性力によって図１２（ａ）中時計回り方向に回動され、上記ロックレバ１９のロック用係合凸部７５ａが上記出力調整レバ１７の低速時係合凹部６１ｃと係合する。上記ロック用係合凸部７５ａと上記低速時係合凹部６１ｃとの係合により、上記出力調整レバ１７の回動が規制され、図１３に示すような状態となる。
【００７２】
このとき、上記可動接点６３は、図１３（ｂ）及び図１３（ｃ）に示すように、低速側接点４７と当接し、上記パルス洗浄器１の電気回路は図１６（ｂ）に示す状態となっている。すなわち、上記モータ２１には第２電池８７のみによる６Ｖの電圧が掛けられており、上記パルス洗浄器１が低速で動作する状態となっている。
また、上記可動接点６３は、コイルばね６６によって上記低速側接点４７側（図１３（ｂ）中下側）に付勢されている。
【００７３】
次に、上記モータ２１が低速で駆動している状態から、上記モータが高速で駆動する筐体へと切り換える場合について説明する。
上記出力調整レバ１７を、図１３（ａ）に示す状態から更に図１３（ａ）中反時計回り方向に回動させると、上記ロックレバ１９は上記出力調整レバ１７に付勢されて、上記ロックレバ用ばね８３の弾性力に抗して図１３（ａ）中反時計回り方向に回動される。そして、上記ロック用係合凸部７５ａと上記低速時係合凹部６１ｃとの係合が解除される。その後、更に、上記出力調整レバ１７が回動されると、上記ロックレバ１９は上記ロックレバ用ばね８３の弾性力によって図１３（ａ）中時計回り方向に回動され、上記ロックレバ１９のロック用係合凸部７５ａが上記出力調整レバ１７の高速時係合凹部６１ｄと係合する。上記ロック用係合凸部７５ａと上記高速時係合凹部６１ｄとの係合により、上記出力調整レバ１７の回動が規制され、図１４に示すような状態となる。
【００７４】
このとき、上記可動接点６３は、図１４（ｂ）及び図１４（ｃ）に示すように、高速側接点４９と当接し、上記パルス洗浄器１の電気回路は図１６（ｃ）に示す状態となっている。すなわち、上記モータ２１には第１電池８５及び上記第２電池８７が直列に接続され１２Ｖの電圧が掛けられており、上記パルス洗浄器１が高速で動作する状態となっている。
また、低速時と同様に、上記可動接点６３は、コイルばね６６によって上記高速側接点４９側（図１４（ｂ）中下側）に付勢されている。
なお、上記出力調整レバ１７の段付部６１ｇ、６１ｇは上記本体ケース９に当接し、この状態から更に上記出力調整レバ１７が図１４（ａ）中反時計回り方向に回動されないように規制して、ストッパとして作用している。また、上記ロックレバ１９の凸部７７が上記出力調整レバ１７の接点アーム６１の段付部６１ｅ付近に引っかかり、上記ロックレバ１９が上記出力調整レバ１７の段付部６１ｅと段付部６１ｇとの間に形成された薄肉部に嵌り込まないようになっている。これによって、後述する上記ロックレバ１９の図１４（ａ）中反時計回り方向への回動操作を行うときに、上記ロックレバ１９のロックレバ支点アーム７３が上記出力調整レバ１７の段付部６１ｅに引っ掛かってしまうことを防止している。
【００７５】
次に、上記モータ２１が高速で駆動している状態から、上記モータ２１が停止する状態へと切り換える場合について説明する。
上記ロックレバ１９を、例えば小指や薬指によって、図１４（ａ）中反時計回り方向に回動させると、上記ロックレバ１９のロック用係合凸部７５ａと上記出力調整レバ１７の高速時係合凹部６１ｄとの係合が解除される。これにより、上記ロック用係合凸部７５ａと上記高速時係合凹部６１ｄとの係合による上記出力調整レバ１７の回動の規制が解除されることなり、上記出力調整レバ１７から指を離せば、上記出力調整レバ１７は上記出力調整レバ用ばね６９によって図１４（ａ）中時計回り方向に回動される。その際、上記可動接点６３
と上記高速側接点４９との電気的接続が解除される。
【００７６】
そして、上記出力調整レバ１７の段付部６１ｅ及び突起６１ｆが本体ケース９に当接して、上記出力調整用レバ１７の上記出力調整レバ用ばね６９による回動が規制され、図１５に示すような状態となる。その後、上記ロックレバ１９から指を離すと、上記ロックレバ１９は上記ロックレバ用ばね８３の弾性力によって図１４（ａ）中時計回り方向に回動され、図１２に示す状態となる。
【００７７】
なお、上述した上記ロックレバ１９の操作は、上記モータ２１が高速で駆動している状態から、上記モータ２１が停止する状態へと切り換えるものであるが、同様の操作によって、上記モータ２１が低速で駆動している状態から停止する状態へと切り換えることや、上記モータ２１が高速で駆動している状態から低速で駆動している状態へと切り換えることも可能である。
【００７８】
次に、ノズルユニット１０の上記パルス洗浄器１への取り付けについて説明する。
上記ノズルユニット１０を取り付ける場合は、まず、噴射ノズル１０ａが上記本体ケース９の貫通孔４４、及び、ロックフリ本体１２ｂの貫通孔１２ａ、を貫通し、上記ハウジング４３の噴射ノズル接続部４３ｇへと挿入される。それと同時に、吸引ノズル１０ｂは、図３に示すように、吸引パイプ１１に挿入・接続される。その際、上記噴射ノズル１０ａの後端部（図３中右側部分）が図３中右側へと移動していくと、上記噴射ノズル１０ａの係合凸部１０ｄと上記ロックフリ本体１２ｂの貫通孔１２ａとの相互作用によって、上記ロックフリ本体１２ｂが板ばね部１２ｃの弾性力に抗して持ち上げられる。その後、さらに、上記噴射ノズル１０ａの後端部（図３中右側部分）が図３中右側へと移動していくと、上記板ばね部１２ｃの弾性力によって上記ロックフリ本体１２ｂが再び元の位置に戻り、上記噴射ノズル１０ａの係合凸部１０ｄが上記ロックフリ本体１２ｂと上記ハウジング４３の噴射ノズル接続部４３ｇとの間に係合・固定される。こうして、上記ノズルユニット１０は上記パルス洗浄器１に取り付けられる。
【００７９】
上記ノズルユニット１０を取り外す場合は、まず、上記ロックフリ本体１２ｂの操作部１２ｄを上記板ばね部１２ｃの弾性力に抗して、図３中上方向に押圧操作する。それによって、上記噴射ノズル１０ａとロックフリ１２との係合が解除される。その後、上記噴射ノズル１０ａを上記ハウジング４３の噴射ノズル接続部４３ｇから引き抜き、上記吸引ノズル１０ｂを上記吸引パイプ１１から引き抜くことで、上記ノズルユニット１０を取り外すことができる。
【００８０】
以上、本実施の形態によるパルス洗浄器によると、以下のような効果を奏することができる。
まず、出力調整レバ１７を、一方向に回動させるだけで、モータ２１を「停止状態」、「低速動作状態」、「高速動作状態」の順に切り換ることができ、且つ、その低速動作状態、高速動作状態が自動的に保持されるように構成されているので、その使い勝手が大幅に向上しているものである。
また、例えば、人差し指や中指で操作される上記出力調整レバ１７の出力調整レバ操作部５７の近傍であって同じ側にロックレバ１９のロックレバ操作部７１が配置されているので、上記出力調整レバ１７を一方向に回動操作する前の状態に戻す操作も行い易い。すなわち、本実施の形態によるパルス洗浄器１を片手で保持して操作する場合であっても、上記モータ２１の出力を増加させる操作も、上記モータ２１の出力を低下させる操作も、容易に行うことが可能である。
また、上記出力調整レバ１７に上記ロックレバ１９のロック用係合凸部７５ａが係合する係合凹部は、低速時係合凹部６１ｃと高速時係合凹部６１ｄの２つが設けられている。そのため、上記モータ２１の出力を、停止状態、低速動作状態、高速動作状態の３段階に調整することができる。
【００８１】
また、上記ロックレバ１９のロック用係合凸部７５ａが山型凸部であり、上記出力調整レバ１７の低速時係合凹部６１ｃや高速時係合凹部６１ｄが逆山型凹部となっている。そのため、上記出力調整レバ１７や上記ロックレバ１９を回動操作した際、ロック用係合凸部７５ａと低速時係合凹部６１ｃや高速時係合凹部６１ｄとの係合や係合の解除が円滑に行われ、上記パルス洗浄器１の操作を快適に行うことができる。
また、上記出力調整レバ１７には、必要以上に回動されることを防ぐストッパとして段付部６１ｇ、６１ｇや段付部６１ｅ及び突起６１ｆが設けられている。そのため、上記出力調整レバ１７ひいては上記パルス洗浄器１を確実に動作させることができ、且つ、上記パルス洗浄器１が上記出力調整レバ１７の操作によって破損してしまうのを防ぐことができる。
また、上記ロックレバ１９には凸部７７が形成されており、上記出力調整レバ１７が回動操作された際、上記ロックレバ１９が上記出力調整レバ１７の段付部６１ｅ・段付部６１ｇ間の薄肉部に嵌り込まないようになっている。そのため、いかなる場合も上記ロックレバ１９を確実に操作できるようになっている。このことによっても、上記パルス洗浄器１の確実な動作や破損の防止が担保されている。
【００８２】
また、上記出力調整レバ１７の接点アーム６１に取り付けられた可動接点６３は、コイルばね６６によって、図１２（ｂ）中下側に向けて常時付勢されている。そのため、上記可動接点６３が低速側接点４７や高速側接点４９に乗り上げて当接する際に、上記可動接点６３は低速側接点４７や高速側接点４９に付勢されて当接するため、上記可動接点６３の「ガタツキ」がなく、接点同士の接触によるチャタリングを防止することができる。よって、上記パルス洗浄器１がノイズを発することを防止し、周辺の医療機器への悪影響を防ぐことができる。
【００８３】
また、歯車２５の支持軸２９及び歯車２７の支持軸３１は、本体ケース９に圧入・固定された軸受３４及び軸受３６に圧入・固定されている。そのため、上記支持軸２９及び支持軸３１は回転せず、上記歯車２５及び歯車２７が上記支持軸２９及び支持軸３１を中心に回転することになる。よって、上記支持軸２９や上記支持軸３１が不用意に回転して、上記軸受３４、上記軸受３６及び上記本体ケース９が摩耗してしまい、不具合が発生するのを防ぐことができる。
【００８４】
また、ハウジング４３には環状溝４３ｆが形成されており、上記ハウジング４３内に設置された逆止弁４５の給水側弁４５ｂには、上記環状溝４３ｆに対応する環状凸部４５ｄが形成されている。そのため、上記逆止弁４５の給水側弁４５ｂが上記ハウジング４３に当接した際、上記環状溝４３ｆ内に上記環状凸部４５ｄの先端部が嵌り込み、上記環状凸部４５ｄの先端部が上記環状溝４３ｆの形状に合わせて変形するため、上記給水側弁４５ｂとハウジング４３の気密性が高くなる。また、上記環状溝４３ｆの断面形状は、開口部付近は底部側へ向かうほど幅が狭くなるテーパ形状であり、底部が円弧状の断面形状となっていて、上記環状凸部４５ｄの先端部の断面形状は略半円形であることから、上記逆止弁４５の環状凸部４５ｄと上記環状溝４３ｆの接触面積が大きくなり、このことによっても気密性が増している。また、上記環状溝４３ｆ開口部付近のテーパ形状と上記逆止弁４５の環状凸部４５ｄとの相互作用によるくさび効果によっても、気密性が増している。
【００８５】
なお、本願発明は、前記一実施の形態に限定されない。
例えば、出力調整レバに設けられた出力保持用係合部の数は、前記一実施の形態のように、２つに限られず、１つである場合や、３つ以上である場合も考えられる。
また、ロック用係合部や出力保持用係合部の形状は、様々な形状が考えられる。
また、各構成要素の形状、寸法、配置は、本実施の形態のものに限られず、様々なものが考えられる。
【産業上の利用可能性】
【００８６】
本発明は、例えば、洗浄液を断続的に噴射するパルス洗浄器に係り、特に、使用中における噴射頻度や出力の調整が行い易く、操作性の高いものであり、且つ、構造が簡潔となるように工夫したものに係り、例えば、外科手術に使用されるパルス洗浄器に好適である。
【符号の説明】
【００８７】
１  パルス洗浄器
９  本体ケース
１０ａ  噴射ノズル
１７  出力調整レバ
１９  ロックレバ
２１  モータ
２３  歯車
２５  歯車
２７  歯車
２９  支持軸
３１  支持軸
３３  軸受
３５  軸受
３７  シリンダ
２９  ピストン
４３  ハウジング
４３ｆ  環状溝
４５  逆止弁
４５ｄ  環状凸部
５７  出力調整レバ操作部
６１ｃ  低速時係合凹部（出力保持用係合部）
６１ｄ  高速時係合凹部（出力保持用係合部）
６１ｅ  段付部（ストッパ）
６１ｆ  突起（ストッパ）
６１ｇ  段付部（ストッパ）
６１ｇ  段付部（ストッパ）
６９  出力調整レバ用ばね
７１  ロックレバ操作部
７５ａ  ロック用係合凸部
８３  ロックレバ用ばね
【図１】
0005649382.tif 000002
【図２】
0005649382.tif 000003
【図３】
0005649382.tif 000004
【図４】
0005649382.tif 000005
【図５】
0005649382.tif 000006
【図６】
0005649382.tif 000007
【図７】
0005649382.tif 000008
【図８】
0005649382.tif 000009
【図９】
0005649382.tif 000010
【図１０】
0005649382.tif 000011
【図１１】
0005649382.tif 000012
【図１２】
0005649382.tif 000013
【図１３】
0005649382.tif 000014
【図１４】
0005649382.tif 000015
【図１５】
0005649382.tif 000016
【図１６】
0005649382.tif 000017
【図１７】
0005649382.tif 000018
【図１８】
0005649382.tif 000019
【図１９】
0005649382.tif 000020
【図２０】
0005649382.tif 000021